(57)【特許請求の範囲】
【請求項１】
電気部品とワイヤハーネスとを接続する電気接続箱であって、
前記電気部品を装着する部品取付け部が、前記電気部品のうちメンテナンス対象になっているメンテナンス対象電気部品が装着されるメンテナンス部品取付け部と、前記電気部品のうちメンテナンス対象にはなっていない非メンテナンス対象電気部品が装着されるメンテナンスフリー部品取付け部とに分けて設けられると共に、
前記メンテナンス部品取付け部の少なくとも一部が、前記メンテナンスフリー部品取付け部の上方に位置するように設けられた多段構造に形成されて前記電気部品が高密度配置され、
前記メンテナンス部品取付け部と前記メンテナンスフリー部品取付け部との間には、少なくとも前記非メンテナンス対象電気部品の発熱が籠もらない程度の隙間が確保されていることを特徴とする電気接続箱。
【発明の詳細な説明】
【技術分野】
【０００１】
本発明は、車両等においてヒューズやリレー等の電気部品とワイヤハーネスとを接続する電気接続箱に関する。
【背景技術】
【０００２】
車両等においては、電気系統の保守・管理を容易にすることから、ヒューズやリレー等の電気部品とワイヤハーネスとを接続する電気接続箱が設置されている。
【０００３】
これまで、このような電気接続箱では、装着される電気部品がメンテナンス対象になっているか否かに拘わらず、配列される全ての電気部品は、他の電気部品の着脱の邪魔になることがないように、互いに取付け部方向に位置をずらして全ての電気部品を外方に露出させた状態に配置する構成が一般的であった（例えば、下記特許文献１，２参照）。
【０００４】
【特許文献１】特開平３−９３４１５号公報
【特許文献２】実開平２−５６７５１号公報
【発明の開示】
【発明が解決しようとする課題】
【０００５】
ところが、配列される全ての電気部品を他の電気部品の着脱の邪魔にならないように外方に露出させた状態に配置する従来の構成では、箱の外面等に、全ての電気部品を装着し得る大きな面積の部品取付け部を確保することが必要不可欠となり、電気接続箱自体の大型化や、車両上に大きな取付スペースが必要となるなどの問題があった。
【０００６】
また、メンテナンス対象になっているか否かに係わらず、全ての電気部品が電気接続箱の外面に露出状態に配置される従来の構成では、メンテナンス対象の部品を交換する作業時に、メンテナンス対象外の他の部品を誤って取り外してしまうことを誘発するおそれもあった。
【０００７】
本発明の目的は、上記課題を解消することに係り、電気接続箱自体の小型化や、車両上に確保する取付スペースの低減を図ることができ、更には、メンテナンス対象外の他の部品を誤って取り外す誤操作を誘発するおそれもなく保安性に優れた電気接続箱を提供することにある。
【課題を解決するための手段】
【０００８】
本発明の上記目的は、下記構成により達成される。
（１）  電気部品とワイヤハーネスとを接続する電気接続箱であって、
前記電気部品を装着する部品取付け部が、前記電気部品のうちメンテナンス対象になっているメンテナンス対象電気部品が装着されるメンテナンス部品取付け部と、前記電気部品のうちメンテナンス対象にはなっていない非メンテナンス対象電気部品が装着されるメンテナンスフリー部品取付け部とに分けて設けられると共に、
前記メンテナンス部品取付け部の少なくとも一部が、前記メンテナンスフリー部品取付け部の上方に位置するように設けられた多段構造に形成されて前記電気部品が高密度配置され、
前記メンテナンス部品取付け部と前記メンテナンスフリー部品取付け部との間には、少なくとも前記非メンテナンス対象電気部品の発熱が籠もらない程度の隙間が確保されていることを特徴とする電気接続箱。
【発明の効果】
【０００９】
前記（１）の本発明による電気接続箱によれば、メンテナンス対象になっている電気部品が装着されるメンテナンス部品取付け部が、メンテナンス対象にはなっていない電気部品が装着されるメンテナンスフリー部品取付け部の上に位置するように設けられた多段構造になっているため、メンテナンス対象の部品のみを外部に露出させた高密度実装が可能になる。
【００１０】
即ち、本発明による電気接続箱は、外部に露出させる部品取付け部は、メンテナンス対象の部品が装着されるメンテナンス部品取付け部だけでよく、外表面の縮減により電気接続箱を小型化し、車両上に確保する取付スペースの低減を図ることができる。
【００１１】
さらに、メンテナンス対象外の部品は、メンテナンス対象の部品を配列したメンテナンス部品取付け部の下に隠れているため、簡単に部品にアクセスできない。
【００１２】
従って、誤ってメンテナンス対象外の部品を外してしまうことの発生を防止して、電気接続箱の保安性を向上させることもできる。
【発明を実施するための最良の形態】
【００１３】
以下、本発明に係る電気接続箱の好適な実施形態について、図面を参照して詳細に説明する。
【００１４】
図１は本発明に係る電気接続箱の一実施形態の斜視図、図２は図１に示した電気接続箱の平面図、図３は図１に示した電気接続箱の縦断面図である。
【００１５】
この一実施形態の電気接続箱１は、車両に搭載される電気系統において、ヒューズやリレー等の各種の電気部品と不図示のワイヤハーネスとを接続する電気接続箱である。
【００１６】
この電気接続箱１には、電気部品を装着する部品取付け部として、接続箱の外郭形状を成すケース本体３の上面側に、第１〜第３の３つのメンテナンス部品取付け部５，６，７と一つのメンテナンスフリー部品取付け部９とがそれぞれ位置をずらして設けられている。
【００１７】
そして、ケース本体３の内部に、３つのメンテナンスフリー部品取付け部１１，１２，１３が設けられている。
【００１８】
第１のメンテナンス部品取付け部５は、メンテナンス対象となっている複数個のヒューズｆ１，ｆ２が嵌合装着される平坦な部品取付け部である。
【００１９】
また、第２のメンテナンス部品取付け部６はメンテナンス対象となっている複数個のヒューズｆ３が嵌合装着される部品取付け部であり、第３のメンテナンス部品取付け部７はメンテナンス対象となっている複数個のヒューズｆ４が嵌合装着される部品取付け部である。ヒューズｆ３，ｆ４は、部品取付け部６，７に対して水平方向に挿脱される。
【００２０】
メンテナンスフリー部品取付け部９は、メンテナンス対象外の電気部品であるリレーＲ１等が複数個嵌合装着される平坦な部品取付け部である。このメンテナンスフリー部品取付け部９は、メンテナンス部品取付け部５の後縁に同一高さレベルで連なる平面状に広がって形成されている。
【００２１】
即ち、メンテナンスフリー部品取付け部９は、前述の第１のメンテナンス部品取付け部５と重ならないように、第１のメンテナンス部品取付け部５の後方に平面状に配列されている。
【００２２】
本実施形態の場合、第２のメンテナンス部品取付け部６と第３のメンテナンス部品取付け部７とは、装備高さをずらした階段状に並んで設けられている。そして、これらの第２及び第３のメンテナンス部品取付け部６，７は、メンテナンスフリー部品取付け部９の上に非接触状態で上下に重なる多段構造に装備されている。
【００２３】
メンテナンス部品取付け部６，７に取り付けられたヒューズｆ３，ｆ４は、溶着又は端子によりこれらに接続された電線１０又はバスバーによりケース本体３内のバスバーと電気的に接続されている。
【００２４】
また、第２及び第３のメンテナンス部品取付け部６，７と、その下のメンテナンスフリー部品取付け部９との間には、少なくともメンテナンスフリー部品取付け部９に装着されているリレーＲ１の発熱が籠もらない程度の隙間Ｓが確保されている。
【００２５】
更に、図示はしていないが、第２及び第３のメンテナンス部品取付け部６，７の配置が、メンテナンスフリー部品取付け部９へのリレーＲ１の着脱作業の邪魔にならないように、例えば、第２及び第３のメンテナンス部品取付け部６，７がケース本体３に対して着脱可能に構成されたり、あるいは、リレーＲ１の周囲に確保される隙間ＳにリレーＲ１の着脱に必要な余裕が付加されたりするなど、電気接続箱１の各部の取付構造や寸法に工夫が凝らされる。
【００２６】
ケース本体３内の３つのメンテナンスフリー部品取付け部１１，１２，１３には、所定の機能を持つ回路基板や制御基板等の部品Ｋ１，Ｋ２，Ｋ３が取り付けられている。
【００２７】
以上に説明した電気接続箱１では、メンテナンス対象になっている電気部品が装着される第２及び第３のメンテナンス部品取付け部６，７が、メンテナンス対象にはなっていない電気部品が装着されるメンテナンスフリー部品取付け部９の上に重なる多段構造になっているため、メンテナンス対象の部品ｆ１〜ｆ４のみを外部に露出させた高密度実装が可能になる。
【００２８】
即ち、上記の電気接続箱１では、外部に露出させる部品取付け部は、メンテナンス対象の部品ｆ１〜ｆ４が装着されるメンテナンス部品取付け部５，６，７だけでよく、部品を配置する外表面の縮減により電気接続箱１を小型化し、車両上に確保する取付スペースの低減を図ることができる。
【００２９】
さらに、耐久性が高く故障が生じ難いためにメンテナンス対象外となるリレーＲ１等の部品は、メンテナンス対象のヒューズ等の部品を配列したメンテナンス部品取付け部６，７の下に隠れているため、簡単に部品にアクセスできない。従って、誤ってメンテナンス対象外の部品を外してしまう事故の発生を防止して、電気接続箱１の保安性を向上させることもできる。
【００３０】
なお、メンテナンス対象となる部品やメンテナンス対象外となる部品の具体例は、上記実施形態に限らない。
【００３１】
また、上記の実施形態では、メンテナンスフリー部品取付け部９の占有面積がそれほど大きくないため、３つのメンテナンス部品取付け部５，６，７の内の一部である第２及び第３のメンテナンス部品取付け部６，７のみを、メンテナンスフリー部品取付け部９の上に配置する構成とした。
【００３２】
しかし、メンテナンスフリー部品取付け部９に配置するリレーＲ１等の数量が多く、メンテナンスフリー部品取付け部９の占有面積が大きくなる場合には、３つのメンテナンス部品取付け部５，６，７の全てをメンテナンスフリー部品取付け部９の上に配置する構成とすると良い。
【図面の簡単な説明】
【００３３】
【図１】本発明に係る電気接続箱１の一実施形態の斜視図である。
【図２】図１に示した電気接続箱１の平面図である。
【図３】図１に示した電気接続箱１の縦断面図である。
【符号の説明】
【００３４】
１  電気接続箱
３  ケース本体
５  第１のメンテナンス部品取付け部
６  第２のメンテナンス部品取付け部
７  第３のメンテナンス部品取付け部
９  メンテナンスフリー部品取付け部
１１，１２，１３  メンテナンスフリー部品取付け部
【図１】
0005279114.tif 000002
【図２】
0005279114.tif 000003
【図３】
0005279114.tif 000004